(57)【要約】      （修正有）【課題】写真やイラストが立体的に見えるアートフレームを提供する。【解決手段】複数のスライド６が筐体４内に配置されたアートフレーム２であって、筐体４は、透明な平板である背面板１０と、筐体４の長辺において対向する二つの長辺側壁８と、筐体４の天面側の短辺に配置される短辺側壁１２と、短辺側壁１２と対向して配置される底蓋１４とを備え、対向する長辺側壁８には、底蓋１４側から短辺側壁１２に向かう程背面板１０に近づく複数段の傾斜溝１６が所定の間隔で形成され、複数のスライド６が複数段の傾斜溝１６に積層して嵌入される。【選択図】図２
0003219507.tif 000002
【実用新案登録請求の範囲】
【請求項１】
複数のスライドが筐体内に配置されたアートフレームであって、
前記筐体は、
透明な平板である背面板と、
前記筐体の長辺において対向する二つの長辺側壁と、
前記筐体の天面側の短辺に配置される短辺側壁と、
前記短辺側壁と対向して配置される底蓋と
を備え、
対向する前記長辺側壁には、前記底蓋側から前記短辺側壁に向かう程前記背面板に近づく複数段の傾斜溝が所定の間隔で形成され、
複数の前記スライドが複数段の前記傾斜溝に積層して嵌入されることを特徴とするアートフレーム。
【請求項２】
前記スライドは、イラストまたは写真の全体像が描写された第１スライドと、イラストまたは写真の一部が描写された第２スライドを含み、前記第１スライドが前記第２スライドよりも前記背面板側に配置されることを特徴とする請求項１記載のアートフレーム。
【請求項３】
前記スライドは、前記第２スライドに描写されたイラストまたは写真の一部が描写された第３スライドを含み、前記第２スライドが前記第３スライドよりも前記背面板側に配置されることを特徴とする請求項２記載のアートフレーム。
【考案の詳細な説明】
【技術分野】
【０００１】
本考案は、イラストや写真等を飾るためのアートフレームに関する。
【背景技術】
【０００２】
従来より、透明板と背板との間に写真やイラスト等を挟み、その外側に額縁を備え、額縁を紐で吊下げて壁に掛け、または背面から支持板を配して机や棚などの上に配置するアートフレームが汎用されている。
【考案の概要】
【考案が解決しようとする課題】
【０００３】
しかしながら、従来のアートフレームは、一枚の写真やイラスト等を額縁内に挟み込んだ平面的なものであり、立体感に乏しいという問題があった。
【０００４】
本考案の目的は、写真やイラストが立体的に見えるアートフレームを提供することである。
【課題を解決するための手段】
【０００５】
本考案に係るアートフレームは、
複数のスライドが筐体内に配置されたアートフレームであって、
前記筐体は、
透明な平板である背面板と、
前記筐体の長辺において対向する二つの長辺側壁と、
前記筐体の天面側の短辺に配置される短辺側壁と、
前記短辺側壁と対向して配置される底蓋と
を備え、
対向する前記長辺側壁には、前記底蓋側から前記短辺側壁に向かう程前記背面板に近づく複数段の傾斜溝が所定の間隔で形成され、
複数の前記スライドが複数段の前記傾斜溝に積層して嵌入されることを特徴とする。
【０００６】
このように、傾斜溝が厚さ方向において所定の間隔をもって配置されているため、傾斜溝にスライドを嵌入させたときにスライド間に空間が生じ、イラストを立体的に見せることができる。また、筐体内に複数のスライドを傾斜させて積層配置することにより、真正面以外の方向からもイラストや写真を鑑賞することができる。また、背面板を透明にすることにより、背面からも筐体内に光を取り入れることができるため、アートフレームを窓辺やデスクに飾った時に、光を通してイラストが明るく見える。
【０００７】
また、本考案に係るアートフレームは、
前記スライドが、イラストまたは写真の全体像が描写された第１スライドと、イラストまたは写真の一部が描写された第２スライドを含み、前記第１スライドが前記第２スライドよりも前記背面板側に配置されることを特徴とする。
【０００８】
このように、手前に位置するスライドの描写領域が小さくなるようにすることにより、さらに真正面以外の方向からイラストや写真を鑑賞しやすくすることができる。
【０００９】
また、本考案に係るアートフレームは、
前記スライドが、前記第２スライドに描写されたイラストまたは写真の一部が描写された第３スライドを含み、前記第２スライドが前記第３スライドよりも前記背面板側に配置されることを特徴とする。
【００１０】
このように、３枚のスライドがあれば、イラストや写真をより立体的に見せることができる。
【考案の効果】
【００１１】
本考案によれば、写真やイラストが立体的に見えるアートフレームを提供することができる。
【図面の簡単な説明】
【００１２】
【図１】実施の形態に係るアートフレームの概要を示す斜視図である。
【図２】実施の形態に係るアートフレームの分解斜視図である。
【図３】図１に示したアートフレームのＡ−Ａ線断面図である。
【図４】実施の形態に係るアートフレームのスライドを示す図である。
【考案を実施するための形態】
【００１３】
以下、図面を参照して、本考案の実施の形態に係るアートフレームについて説明する。図１は、実施の形態に係るアートフレームの概要を示す斜視図であり、図２はその分解斜視図である。図１、２に示すように、アートフレーム２は、筐体４と筐体４内に配置される３枚のアクリル製のスライド６を備えている。
【００１４】
筐体４は、内部に直方体状の空間５が形成され、正面（図１、２における上側）が開放されている。また、筐体４は、筐体４の長辺において対向する二つの長辺側壁８、透明な平板である背面板１０、筐体４の天面側の短辺に配置される短辺側壁１２、短辺側壁１２と対向して配置される底蓋１４を備えている。なお、筐体４のサイズは、縦方向（図１のＸ方向）の長さが１８６ｍｍ、横方向（図１のＹ方向）の長さが１２０ｍｍ、厚さ方向（図１のＺ方向）の長さが４０ｍｍであるのが好ましいが、必ずしもこのサイズに限定されるものではない。
【００１５】
ここで、長辺側壁８の内側（空間の位置する側）には、一対の傾斜溝１６が厚さ方向において所定の間隔をもって３段形成されている。また、図３に示すように、それぞれの傾斜溝１６は、底蓋１４側から短辺側壁１２に向かう程背面板１０に近づき、短辺側壁１２から底蓋１４側に向かう程背面板１０から遠ざかるように傾斜している。なお、傾斜溝１６には、図１，２において最も下側に位置する第１傾斜溝１６ａ、第１傾斜溝１６ａの直上に位置する第２傾斜溝１６ｂ、最も上側に位置する第３傾斜溝１６ｃが含まれている。
【００１６】
また、図２に示すように、底蓋１４は、図２の上下方向にスライドさせることにより付け外しが可能である。このため、スライド６は、底蓋１４を外した状態で、空間５の底面側からそれぞれ傾斜溝１６に積層して嵌入される。
【００１７】
また、図４に示すように、３枚のスライド６には、イラストの全体像が描写された第１スライド６ａ、イラストの一部が描写された第２スライド６ｂ、さらに第２スライド６ｂに描写されたイラストの一部が描写された第３スライド６ｃが存在する。
【００１８】
アートフレーム２を組み立てる場合には、まず、第１スライド６ａ、第２スライド６ｂ、および第３スライド６ｃを用意し、筐体４から底蓋１４を取り外す。次に、最も下側に位置する第１傾斜溝１６ａにイラストの全体像が描写された第１スライド６ａを嵌入させる。次に、第１傾斜溝１６ａの直上に位置する第２傾斜溝１６ｂにイラストの一部が描写された第２スライド６ｂを嵌入させ、最後に、最も上側に位置する第３傾斜溝１６ｃに第２スライド６ｂに描写されたイラストの一部が描写された第３スライド６ｃを嵌入させる。その後、筐体４に底蓋１４を装着することにより、アートフレーム２が完成する。完成したアートフレーム２は、底蓋１４側を底面として卓上等に載置される。
【００１９】
この実施の形態に係るアートフレーム２によれば、傾斜溝１６が厚さ方向において所定の間隔をもって配置されているため、傾斜溝１６にスライド６を嵌入させたときにスライド６間に空間が生じ、イラストを立体的に見せることができる。
【００２０】
また、手前に位置するスライド６ほどイラストの描写領域が小さくなるようにして、筐体４内に３枚のスライド６を傾斜させて積層配置することにより、真正面以外の方向からも鑑賞することができる。
【００２１】
また、背面板１０を透明にすることにより、背面からも筐体４内に光を取り入れることができるため、アートフレーム２を窓辺やデスクに飾った時に、光を通してイラストが明るく見える。
【００２２】
また、スライド６は差し替えができるので、複数の筐体４を持っていれば、自由にスライド６を取り替えることができる。
【００２３】
なお、上述の実施の形態においては、スライド６にイラストが描写されている場合を例に説明しているが、スライド６には、写真が描写されていてもよい。
【００２４】
また、上述の実施の形態においては、３段の傾斜溝１６に３枚のスライド６を積層して嵌入させる場合を例に説明しているが、２段の傾斜溝１６に２枚のスライド６を嵌入させてもよい。また、４段以上の傾斜溝１６に傾斜溝１６の段数に対応する枚数のスライド６を嵌入させてもよい。
【００２５】
また、上述の実施の形態においては、スライド６を下から順に嵌入する場合を例に説明しているが、スライド６を嵌入させる順序は、必ずしもこれに限定されない。
【００２６】
また、上述の実施の形態において、イラストの全体像が描写されたスライド６が存在せず、第１スライド６ａ、第２スライド６ｂ、第３スライド６ｃにそれぞれイラストの一部が、重ならないように描写されていてもよい。すなわち、３枚のスライド６をすべて重ねてはじめてイラストの全体像が完成するようにしてもよい。この場合、３枚のスライド６を自由に組み替えてイラストを立体的に表現することができる。
【００２７】
また、上述の実施の形態においては、底蓋１４が付け外しが可能な場合を例に説明しているが、底蓋１４は、筐体４に固定されていてもよい。これにより、筐体４の底蓋１４の部分の強度を向上させることができる。なお、この場合には、たとえば、短辺側壁１２が取り外せるようにしておけばスライド６を筐体４に嵌入させることができる。
【００２８】
また、上述の実施の形態においては、筐体４の正面が開放されている場合を例に説明しているが、筐体４の正面に透明な正面板（図示せず）を配置してもよい。これによっても、底蓋１４の強度を向上させることができる。
【００２９】
また、上述の実施の形態において、長辺側壁８、短辺側壁１２の「長」、「短」の文言は、絶対的なものではなく、筐体４が横長の形状になれば、短辺側壁１２の長さが長辺側壁８よりも長くなる。
【符号の説明】
【００３０】
２      アートフレーム
４      筐体
５      空間
６      スライド
６ａ    第１スライド
６ｂ    第２スライド
６ｃ    第３スライド
８      長辺側壁
１０    背面板
１２    短辺側壁
１４    底蓋
１６    傾斜溝
１６ａ  第１傾斜溝
１６ｂ  第２傾斜溝
１６ｃ  第３傾斜溝
【図１】
0003219507.tif 000003
【図２】
0003219507.tif 000004
【図３】
0003219507.tif 000005
【図４】
0003219507.tif 000006